(57)【特許請求の範囲】
【請求項１】
電子機器の背面を支持する支持板と、該支持板に対して折り曲げ可能に設けられたスタンド板とを有し、前記電子機器の背面の少なくとも一部を覆う背面カバー部を備え、前記支持板に対して前記スタンド板を前記電子機器の背面から離間する方向に折り曲げることで前記電子機器を起立姿勢に保持可能な電子機器用スタンドであって、
前記スタンド板は、前記支持板との間の折り曲げ線となる横方向の第１折り線と、
前記第１折り線の一端から斜め方向に延在する第２折り線と、
前記第１折り線と前記第２折り線との交点から前記第１折り線とは反対方向に延在し、一端が開放端とされた切れ目とを有し、
前記スタンド板に対して折り曲げ可能に設けられた連接部と、
前記連接部に対して折り曲げ可能に設けられ、前記電子機器の前面の少なくとも一部を覆う前面カバー部とを備え、
前記背面カバー部と前記前面カバー部とを前記連接部を介して二つ折りに折り畳むことにより、その内側に前記電子機器を収納可能である一方、
前記スタンド板を前記電子機器の背面から離間する方向に折り曲げると共に、前記前面カバー部を前記連接部を介して前記電子機器の前面から離間させ、前記電子機器の下縁部を前記前面カバー部の上面に係止させることにより、前記電子機器を起立姿勢に保持可能であることを特徴とする電子機器用スタンド。
【請求項２】
請求項１記載の電子機器用スタンドにおいて、
前記前面カバー部は、前記連接部側とは反対側となる位置に前記電子機器と通信可能なキーボード装置を有することを特徴とする電子機器用スタンド。
【請求項３】
電子機器の背面を支持する支持板と、該支持板に対して折り曲げ可能に設けられたスタンド板とを有し、前記電子機器の背面の少なくとも一部を覆う背面カバー部を備え、前記支持板に対して前記スタンド板を前記電子機器の背面から離間する方向に折り曲げることで前記電子機器を起立姿勢に保持可能な電子機器用スタンドであって、
前記スタンド板は、前記支持板との間の折り曲げ線となる横方向の第１折り線と、
前記第１折り線の一端から斜め方向に延在する第２折り線と、
前記第１折り線と前記第２折り線との交点から前記第１折り線とは反対方向に延在し、一端が開放端とされた切れ目とを有し、
前記第１折り線と前記第２折り線との交点を、前記背面カバー部の一辺及び該一辺と直交する他辺までの距離が同一であって、且つ、前記背面カバー部の横方向中心線及び縦方向中心線までの距離が同一となる位置に設定したことを特徴とする電子機器用スタンド。
【請求項４】
筐体の背面にスタンドを備えたスタンド付き電子機器であって、
前記スタンドは、前記筐体の背面を支持する支持板と、該支持板に対して折り曲げ可能に設けられたスタンド板とを有し、前記筐体の背面の少なくとも一部を覆う背面カバー部を備え、前記支持板に対して前記スタンド板を前記筐体の背面から離間する方向に折り曲げることで前記筐体を起立姿勢に保持可能であり、
前記スタンド板は、前記支持板との間の折り曲げ線となる横方向の第１折り線と、
前記第１折り線の一端から斜め方向に延在する第２折り線と、
前記第１折り線と前記第２折り線との交点から前記第１折り線とは反対方向に延在し、一端が開放端とされた切れ目とを有し、
前記第１折り線と前記第２折り線との交点を、前記背面カバー部の一辺及び該一辺と直交する他辺までの距離が同一であって、且つ、前記背面カバー部の横方向中心線及び縦方向中心線までの距離が同一となる位置に設定したことを特徴とするスタンド付き電子機器。
【発明の詳細な説明】
【技術分野】
【０００１】
本発明は、電子機器を所望の起立姿勢に保持することができる電子機器用スタンド及びスタンド付き電子機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは、通常、手で把持した状態で操作する場合と、机の上等に置いた状態で操作する場合とがあり、特に机の上等に置いた状態で操作する場合には、スタンドを利用して立てた状態で使用されることもある。
【０００３】
このようなスタンドとして、特許文献１には、タブレット型ＰＣの背面側にスタンドを設けたスタンド付き表示装置であって、スタンドを回転軸機構によって回転させることでタブレット型ＰＣを横置きの起立姿勢だけでなく、縦置きの起立姿勢としても使用可能とした構成が開示されている。
【先行技術文献】
【特許文献】
【０００４】
【特許文献１】特開２０１０−８５４７９号公報
【発明の概要】
【発明が解決しようとする課題】
【０００５】
上記特許文献１記載の構成では、一般的にディスプレイの縦横比率が異なるタブレット型ＰＣを、その用途に応じて、ディスプレイが横長方向となる横置きの起立姿勢と、ディスプレイが縦長方向となる縦置きの起立姿勢とに変更することができ、利便性が高い。しかしながら、この構成では、スタンドを回転軸機構によって回転させることで横置きと縦置きとに変更する構造を採用している。このため、搭載された回転軸機構によってスタンドが大型化・複雑化し、例えば、手で把持した状態で操作する場合には大きなスタンドが操作の邪魔になる。
【０００６】
本発明は、上記従来技術の課題を考慮してなされたものであり、小型で簡素な構造でありながらタブレット型ＰＣ等の電子機器を所望の起立姿勢で保持することができる電子機器用スタンド及びスタンド付き電子機器を提供することを目的とする。
【課題を解決するための手段】
【０００７】
本発明に係る電子機器用スタンドは、電子機器の背面を支持する支持板と、該支持板に対して折り曲げ可能に設けられたスタンド板とを有し、前記電子機器の背面の少なくとも一部を覆う背面カバー部を備え、前記支持板に対して前記スタンド板を前記電子機器の背面から離間する方向に折り曲げることで前記電子機器を起立姿勢に保持可能な電子機器用スタンドであって、前記スタンド板は、前記支持板との間の折り曲げ線となる横方向の第１折り線と、前記第１折り線の一端から斜め方向に延在する第２折り線と、前記第１折り線と前記第２折り線との交点から前記第１折り線とは反対方向に延在し、一端が開放端とされた切れ目とを有することを特徴とする。
【０００８】
また、本発明に係るスタンド付き電子機器は、筐体の背面にスタンドを備えたスタンド付き電子機器であって、前記スタンドは、前記筐体の背面を支持する支持板と、該支持板に対して折り曲げ可能に設けられたスタンド板とを有し、前記筐体の背面の少なくとも一部を覆う背面カバー部を備え、前記支持板に対して前記スタンド板を前記筐体の背面から離間する方向に折り曲げることで前記筐体を起立姿勢に保持可能であり、前記スタンド板は、前記支持板との間の折り曲げ線となる横方向の第１折り線と、前記第１折り線の一端から斜め方向に延在する第２折り線と、前記第１折り線と前記第２折り線との交点から前記第１折り線とは反対方向に延在し、一端が開放端とされた切れ目とを有することを特徴とする。
【０００９】
このような構成によれば、支持板に対して折り曲げ可能に設けられたスタンド板に第１折り線と第２折り線と切れ目とを設けている。これにより、第１折り線によってスタンド板を支持板に対して折り曲げることにより、支持板及びこれに支持される電子機器を横置きの起立姿勢に立てて維持することができる。さらに、第２折り線を折り曲げて切れ目を支持板から分離させ、第１折り線と第２折り線との交点を中心として支持板を９０度回転させることにより、支持板及びこれに支持される電子機器を縦置きの起立姿勢に立てて維持することができる。従って、背面カバー部に第１折り線等を設けるだけの簡素な構成でありながら電子機器を縦横所望の起立姿勢で保持することができ、構成の小型化・薄型化も図られる。
【００１０】
前記スタンド板に対して折り曲げ可能に設けられた連接部と、前記連接部に対して折り曲げ可能に設けられ、前記電子機器の前面の少なくとも一部を覆う前面カバー部とを備え、前記背面カバー部と前記前面カバー部とを前記連接部を介して二つ折りに折り畳むことにより、その内側に前記電子機器を収納可能である一方、前記スタンド板を前記電子機器の背面から離間する方向に折り曲げると共に、前記前面カバー部を前記連接部を介して前記電子機器の前面から離間させ、前記電子機器の下縁部を前記前面カバー部の上面に係止させることにより、前記電子機器を起立姿勢に保持可能としてもよい。そうすると、電子機器用スタンドを電子機器の持ち運び用のカバーケースとしても機能させることができる。
【００１１】
前記第１折り線と前記第２折り線との交点を、前記背面カバー部の一辺及び該一辺と直交する他辺までの距離が同一であって、且つ、前記背面カバー部の横方向中心線及び縦方向中心線までの距離が同一となる位置に設定してもよい。そうすると、横置き時及び縦置き時のいずれの場合であっても、支持板、つまり電子機器を電子機器用スタンドの左右方向の中心に配置することができる。
【００１２】
前記前面カバー部は、前記連接部側とは反対側となる位置に前記電子機器と通信可能なキーボード装置を有するものであってもよい。
【発明の効果】
【００１３】
本発明によれば、背面カバー部に第１折り線等を設けるだけの小型且つ簡素な構成でありながら電子機器を縦横所望の起立姿勢で保持することができる。
【図面の簡単な説明】
【００１４】
【図１】図１は、本発明の一実施形態に係る電子機器用スタンドを用いてタブレット型ＰＣを横置きの起立姿勢とした状態を示す斜視図である。
【図２】図２は、図１に示す電子機器用スタンドからタブレット型ＰＣを外した状態を示す斜視図である。
【図３】図３は、図１に示す電子機器用スタンドを用いてタブレット型ＰＣを縦置きの起立姿勢とした状態を示す斜視図である。
【図４】図４は、電子機器用スタンドを折り畳み、タブレット型ＰＣを収納した状態を示す側面図である。
【図５】図５は、電子機器用スタンドを背面カバー部側から見た平面図である。
【図６】図６は、図５に示す背面カバー部を構成するスタンド板の構成方法の一例を示す説明図である。
【図７】図７は、図１に示す電子機器用スタンドを用いてタブレット型ＰＣを横置きの起立姿勢とした状態を示す側面図である。
【図８】図８は、図１に示す電子機器用スタンドを用いてタブレット型ＰＣを横置きの起立姿勢とした状態を示す背面図である。
【図９】図９は、図１に示す電子機器用スタンドを用いてタブレット型ＰＣを縦置きの起立姿勢とした状態を示す側面図である。
【図１０】図１０は、図１に示す電子機器用スタンドを用いてタブレット型ＰＣを縦置きの起立姿勢とした状態を示す背面図である。
【図１１】図１１は、第１折り線に対する第２折り線の傾斜角度を説明するための説明図である。
【図１２】図１２は、スタンド板の別の構成例を示す平面図である。
【図１３】図１３は、スタンド板のさらに別の構成例を示す平面図である。
【図１４】図１４は、変形例に係る電子機器用スタンドを用いてタブレット型ＰＣを横置きの起立姿勢とした状態を示す背面図である。
【図１５】図１５は、図１４に示す電子機器用スタンドを用いてタブレット型ＰＣを縦置きの起立姿勢とした状態を示す背面図である。
【発明を実施するための形態】
【００１５】
以下、本発明に係る電子機器用スタンド及びスタンド付き電子機器について好適な実施の形態を挙げ、添付の図面を参照しながら詳細に説明する。
【００１６】
図１は、本発明の一実施形態に係る電子機器用スタンド１０を用いてタブレット型ＰＣ１２を横置きの起立姿勢とした状態を示す斜視図であり、図２は、図１に示す電子機器用スタンド１０からタブレット型ＰＣ１２を外した状態を示す斜視図である。また、図３は、図１に示す電子機器用スタンド１０を用いてタブレット型ＰＣ１２を縦置きの起立姿勢とした状態を示す斜視図であり、図４は、電子機器用スタンド１０を折り畳み、タブレット型ＰＣ１２を収納した状態を示す側面図である。
【００１７】
本実施形態に係る電子機器用スタンド１０は、タブレット型ＰＣ１２等の電子機器を机の上等の設置面上で横置き（図１参照）及び縦置き（図３参照）の所望の姿勢で立てることができるスタンドとしての機能と、タブレット型ＰＣ１２を収納して持ち運ぶためのカバーケース（電子機器用ケース）としての機能とを備える。電子機器用スタンド１０の使用対象としては、タブレット型ＰＣ１２以外の電子機器、例えば、携帯電話、スマートフォン、又は電子手帳等も挙げられる。
【００１８】
本実施形態の場合のタブレット型ＰＣ１２は、タッチパネル式の液晶表示部からなるディスプレイ１２ａを備え、その内部に基板、演算装置及びメモリ等の各種電子部品（図示せず）を収納したものである。本実施形態の場合、タブレット型ＰＣ１２は縦横比率が異なる長方形の外形を有し、電子機器用スタンド１０を用いることにより、図１に示す横置き又は図３に示す縦置きの起立姿勢に変更可能である。タブレット型ＰＣ１２としては、その外形（ディスプレイ１２ａ）の縦横比率が１６：９や４：３等に設定された一般に公知なものを使用可能である。
【００１９】
図１〜図４に示すように、電子機器用スタンド１０は、タブレット型ＰＣ（筐体）１２の背面を覆う背面カバー部１４と、背面カバー部１４に対して折り曲げ可能に設けられた連接部１６と、連接部１６に対して折り曲げ可能に設けられ、タブレット型ＰＣ１２の前面を覆う前面カバー部１８とを備える。電子機器用スタンド１０では、背面カバー部１４の内面及びタブレット型ＰＣ１２の背面にそれぞれ埋設された磁石２０，２２を互いに吸着させることにより、背面カバー部１４の内面側にタブレット型ＰＣ１２を固定・支持することができる（図４参照）。
【００２０】
前面カバー部１８は、タブレット型ＰＣ１２のディスプレイ１２ａが設けられた面（前面）を覆うことができる薄板状のカバーであり、収納するタブレット型ＰＣ１２と平面視で略同一の外形を有した矩形形状となっている。前面カバー部１８は、電子機器用スタンド１０に収納したタブレット型ＰＣ１２を使用する場合に、机の上や使用者の膝の上等に載置される底板となる。
【００２１】
前面カバー部１８の上面手前側には、キーボード装置２４が設けられている。キーボード装置２４は、無線又は有線によりタブレット型ＰＣ１２と接続され、タブレット型ＰＣ１２を操作するためのキーボードとして利用可能である。前面カバー部１８の上面におけるキーボード装置２４の奥側には、背面カバー部１４に支持されたタブレット型ＰＣ１２を立たせる際に使用する溝２６が左右方向（横方向）に延在形成されている。溝２６は、タブレット型ＰＣ１２及び背面カバー部１４の下縁部を係止してタブレット型ＰＣ１２を所定角度で立たせる際に用いるものである（図１及び図３参照）。溝２６に代えて、前面カバー部１８の上面側及び背面カバー部１４の下縁部に図示しない磁石を埋設し、これら磁石同士の吸着力を利用して背面カバー部１４を係止する構成や、背面カバー部１４の下縁部にゴム等の滑り止め部材を設けて係止する構成等としてもよい。
【００２２】
連接部１６は、収納したタブレット型ＰＣ１２を内側にして背面カバー部１４と前面カバー部１８とを二つ折りに折り畳んだ場合に、本の背表紙のようにタブレット型ＰＣ１２の端面を覆う部分であり、タブレット型ＰＣ１２の厚み以上の幅を有する。連接部１６には、背面カバー部１４との間の折り畳み線Ａ１と、前面カバー部１８との間の折り畳み線Ａ２とが左右横方向に延在するように形成されている。
【００２３】
背面カバー部１４は、タブレット型ＰＣ１２のディスプレイ１２ａが設けられた面の背面を覆うことができる薄板状のカバーであり、前面カバー部１８と略同一の矩形形状を有する。タブレット型ＰＣ１２を内側にし、背面カバー部１４と前面カバー部１８とを連接部１６を介して二つ折りに折り畳むと、背面カバー部１４は、タブレット型ＰＣ１２を挟んで前面カバー部１８と重なるように配置される。
【００２４】
図５は、電子機器用スタンド１０を背面カバー部１４側から見た平面図である。図６は、図５に示す背面カバー部１４を構成するスタンド板３０の構成方法の一例を示す説明図である。
【００２５】
図２及び図５に示すように、背面カバー部１４は、タブレット型ＰＣ１２の背面を支持する支持板２８と、支持板２８に対して折り曲げ可能に設けられたスタンド板３０とを有する。
【００２６】
支持板２８は、タブレット型ＰＣ１２を背面側から支持するための薄板状の支持部材であり、前面カバー部１８と略同一の外形を持った矩形形状である。支持板２８には、上記した磁石２０が複数個埋設されており、タブレット型ＰＣ１２側の磁石２２を吸着させることにより、タブレット型ＰＣ１２を固定可能である（図４参照）。支持板２８へのタブレット型ＰＣ１２の固定は、磁石２０，２２の吸着力を利用する構造以外でも勿論よく、例えば、支持板２８の四隅にタブレット型ＰＣ１２の四隅を挿入保持可能な保持バンド３２（図１及び図３中の２点鎖線参照）を用いた構造であってもよい。
【００２７】
スタンド板３０は、支持板２８の一部を板厚方向で２枚に分離させ、該支持板２８に対して折り曲げ可能に連接された薄板状の部材である（図７〜図１０も参照）。スタンド板３０は、支持板２８から折り曲げず該支持板２８内に収納した状態では、支持板２８と平行して面一になり、該支持板２８と共に背面カバー部１４の外面を形成する一方、支持板２８から折り曲げた場合には、支持板２８及び該支持板２８に固定されたタブレット型ＰＣ１２を立たせるスタンド（脚）となる。
【００２８】
図５に示すように、スタンド板３０には、支持板２８との間の折り曲げ線となる第１折り線Ｂ１と、第１折り線Ｂ１の一端（図５では右端）から連接部１６側（奥側）に向かって斜め方向に延在する第２折り線Ｂ２と、第１折り線Ｂ１と第２折り線Ｂ２との交点Ｐから第１折り線Ｂ１とは反対方向（図５では右側）に延在し、一端が開放端とされた第１切れ目Ｃ１とが設けられている。本実施形態の場合、スタンド板３０には、さらに、第１折り線Ｂ１の他端（図５では左端）から連接部１６側に向かって第２折り線Ｂ２と平行するように斜め方向に延在する第２切れ目Ｃ２と、第２切れ目Ｃ２の一端（図５では下端）から連接部１６側に向かって第２切れ目Ｃ２とは逆の斜め方向に延在した後、連接部１６と平行するように横方向に延在する第３切れ目Ｃ３と、第２折り線Ｂ２の下端から第２切れ目Ｃ２及び第３切れ目Ｃ３との交点まで延在する第４切れ目Ｃ４とが設けられている。
【００２９】
図６に示すように、第１折り線Ｂ１は、背面カバー部１４の短辺中心を通る中心線Ｏ１に対して連接部１６側とは反対側に設けられて横方向に延在しており、背面カバー部１４の長辺中心を通る中心線Ｏ２を跨いでいる。第２折り線Ｂ２は、第１折り線Ｂ１の一端の交点Ｐから連接部１６側（奥側）に向かって第１折り線Ｂ１から離間する斜め方向に延在している。第１切れ目Ｃ１、第２切れ目Ｃ２、第３切れ目Ｃ３及び第４切れ目Ｃ４は、スタンド板３０を切断した切断線であり、第１切れ目Ｃ１は第１折り線Ｂ１の延長線上にある。
【００３０】
詳細は後述するが、図１に示す横置きの起立姿勢では、スタンド板３０は、支持板２８に対して第１折り線Ｂ１で折り曲げられ、第２切れ目Ｃ２及び第３切れ目Ｃ３で分離される（図７及び図８も参照）。また、図３に示す縦置きの起立姿勢では、スタンド板３０は、支持板２８に対して第１折り線Ｂ１で折り曲げられると共に第２折り線Ｂ２が折り曲げられ、第１切れ目Ｃ１、第２切れ目Ｃ２、第３切れ目Ｃ３及び第４切れ目Ｃ４で分離される（図９及び図１０も参照）。
【００３１】
ここで、図６を参照してスタンド板３０の構成方法、具体的には、第１折り線Ｂ１、第２折り線Ｂ２及び第１切れ目Ｃ１の形成位置の設定方法の一例を説明する。
【００３２】
スタンド板３０を構成するに当たっては、先ず、第１折り線Ｂ１と第２折り線Ｂ２との間の交点Ｐの位置を設定する。図６に示すように、交点Ｐは、背面カバー部１４の短辺及び長辺までの距離が同一の距離Ｌ１であって、且つ、背面カバー部１４の中心で直交する中心線Ｏ１，Ｏ２までの距離が同一の距離Ｌ２となる位置に設定される。
【００３３】
続いて、上記のように設定した交点Ｐから、第１折り線Ｂ１を横方向に所定長さまで形成する。図６に示す例では、第１折り線Ｂ１を背面カバー部１４の短辺縁部に届かない長さとしているが、短辺縁部まで届く長さであってもよい。
【００３４】
次に、交点Ｐから第２折り線Ｂ２を第１折り線Ｂ１に対して所定角度で斜め方向に形成する。本実施形態では、第２折り線Ｂ２を第１折り線Ｂ１に対して１２０度傾けた方向に形成しているが（図１１中の角度θ１参照）、第２折り線Ｂ２の第１折り線Ｂ１に対する角度は、図１１中の角度θ２（９０度）や角度θ３（１５０度）等であってもよく任意である。なお、第２折り線Ｂ２の第１折り線Ｂ１に対する角度は、図３に示す支持板２８（タブレット型ＰＣ１２）の縦置き時の起立角度に関わることになり、例えば、１２０度である角度θ１を基準とした場合、これより小さな角度θ２では支持板２８の縦置き時の起立角度が寝る方向（水平方向）に変化し、これより大きな角度θ３では支持板２８の縦置き時の起立角度が起き上がる方向（鉛直方向）に変化する。
【００３５】
上記のように交点Ｐ、第１折り線Ｂ１及び第２折り線Ｂ２を設定した後は、交点Ｐから第１折り線Ｂ１とは反対の横方向に第１切れ目Ｃ１を設けることにより、第１折り線Ｂ１、第２折り線Ｂ２及び第１切れ目Ｃ１の形成が完了する。
【００３６】
本実施形態では、図３に示す支持板２８の縦置き時のスタンド板３０の形状を考慮し、第２切れ目Ｃ２、第３切れ目Ｃ３及び第４切れ目Ｃ４を設けている。これにより、縦置き時に第１折り線Ｂ１、第２折り線Ｂ２、第２切れ目Ｃ２及び第４切れ目Ｃ４で囲まれたスタンド板３０の一部の外形が大きくなり過ぎることが防止され、外観や使い勝手を損なうことを防いでいる。一方、例えば、図１２に示す例のように、第３切れ目Ｃ３に代えて、第２切れ目Ｃ２と第４切れ目Ｃ４との交点から横方向に形成した第５切れ目Ｃ５を設けた構成としてもよい。また、例えば、図１３に示す例のように、第１折り線Ｂ１及び第２折り線Ｂ２をそれぞれ背面カバー部１４の縁部まで延在形成させることにより、第２切れ目Ｃ２、第３切れ目Ｃ３及び第４切れ目Ｃ４を省略した構成としてもよい。
【００３７】
このように構成される電子機器用スタンド１０の材質としては、例えば、ガラスエポキシ樹脂やポリカーボネイト、カーボン等からなる薄い平板を芯材とし、その周囲を皮革や人工皮革、布等で囲繞したものを用いるとよい。特に、背面カバー部１４は、スタンドとして機能するためにある程度の剛性を有する必要があるため、上記のように硬い芯材を持った構造とすることが好ましい。
【００３８】
次に、以上のように構成される電子機器用スタンド１０を図４に示す収納姿勢から図１及び図３に示す起立姿勢へと変形させる方法を説明する。
【００３９】
電子機器用スタンド１０は、図４に示す収納姿勢では、スタンド板３０が支持板２８に対して折り曲げられずに互いに面一となって一枚の背面カバー部１４を形成している。そして、背面カバー部１４の内面に磁石２０，２２の吸着力によってタブレット型ＰＣ１２が固定され、該タブレット型ＰＣ１２の一端面が連接部１６によって覆われ、背面が背面カバー部１４によって覆われ、前面が前面カバー部１８によって覆われている。これにより、使用者は、電子機器用スタンド１０により、ブックカバーのようにタブレット型ＰＣ１２を保護した状態で持ち運ぶことができる。
【００４０】
次に、図４に示す収納姿勢にある電子機器用スタンド１０及びタブレット型ＰＣ１２を図１に示す横置きの起立姿勢に変化させる場合には、図４に示すように前面カバー部１８を机の上等に載置し、連接部１６の折り畳み線Ａ１，Ａ２を介して背面カバー部１４をタブレット型ＰＣ１２と共に上方へと開く。そして、第１折り線Ｂ１を折り曲げながら第２切れ目Ｃ２及び第３切れ目Ｃ３を支持板２８から離間させ、支持板２８及びタブレット型ＰＣ１２の下縁部を前面カバー部１８上面の溝２６に係止させる。そうすると、図７及び図８に示すように、支持板２８（タブレット型ＰＣ１２）及びスタンド板３０が、第１折り線Ｂ１及び第１切れ目Ｃ１と、連接部１６と、支持板２８及びタブレット型ＰＣ１２の下縁部とをそれぞれ頂点とした三角形（二等辺三角形）を構成し、タブレット型ＰＣ１２が横置きの起立姿勢に維持される。
【００４１】
続いて、図１、図７及び図８に示す横置きの起立姿勢にある電子機器用スタンド１０及びタブレット型ＰＣ１２を図３に示す縦置きの起立姿勢に変化させる場合には、第２折り線Ｂ２を折り曲げながら第１切れ目Ｃ１を支持板２８から離間させ、さらに第４切れ目Ｃ４を分離させる。これにより、支持板２８（タブレット型ＰＣ１２）が交点Ｐを回転中心として９０度回転するため、図９及び図１０に示すように、支持板２８及びタブレット型ＰＣ１２の下縁部を前面カバー部１８上面の溝２６に係止させる。そうすると、図９及び図１０に示すように、第１折り線Ｂ１が縦方向を向き、支持板２８（タブレット型ＰＣ１２）及びスタンド板３０が、第１切れ目Ｃ１と、連接部１６と、支持板２８及びタブレット型ＰＣ１２の下縁部とをそれぞれ頂点とした三角形を構成し、さらに、第１折り線Ｂ１、第２折り線Ｂ２、第２切れ目Ｃ２及び第４切れ目Ｃ４で囲まれたスタンド板３０の一部が支持板２８の上部を前後方向に支持する支持部材として機能するため、タブレット型ＰＣ１２が縦置きの起立姿勢に維持される。なお、図１０に示すように、縦置きの起立姿勢時に、第１切れ目Ｃ１の縁部とこの第１切れ目Ｃ１の縁部が当接する支持板２８の背面とにそれぞれ磁石３４，３６を設けておくと、両磁石３４，３６の吸着力により縦置きの起立姿勢の維持が一層確実なものとなる。
【００４２】
この際、上記のように、第１折り線Ｂ１と第２折り線Ｂ２との交点Ｐは、背面カバー部１４の短辺及び長辺までの距離が同一の距離Ｌ１であって、且つ、背面カバー部１４の互いに中心で直交する中心線Ｏ１，Ｏ２までの距離が同一の距離Ｌ２となる位置に設定されている。従って、縦置きの起立姿勢に変形させる際、図６に示すように、電子機器用スタンド１０の背面視では、例えば、第１切れ目Ｃ１の開放端にある点Ｐ１が、支持板２８の下縁部にある点Ｐ２の位置に移動し、交点Ｐの下方であって中心線Ｏ１上にある点Ｐ３が、中心線Ｏ２上にある点Ｐ４の位置に移動する。つまり、横置きの起立姿勢時中心線Ｏ１上にあった点Ｐ３が、縦置きの起立姿勢時（図６中に２点鎖線で示す背面カバー部１４参照）には中心線Ｏ２上の点Ｐ４に移動することにより、横置き時（図６及び図８参照）及び縦置き時のいずれの場合であっても、支持板２８（タブレット型ＰＣ１２）が電子機器用スタンド１０の左右方向の中心に配置される構成となっている。
【００４３】
以上のように、本実施形態に係る電子機器用スタンド１０は、電子機器であるタブレット型ＰＣ１２の背面を支持する支持板２８と、支持板２８に対して折り曲げ可能に設けられたスタンド板３０とを有し、タブレット型ＰＣ１２の背面を覆う背面カバー部１４を備え、支持板２８に対してスタンド板３０をタブレット型ＰＣ１２の背面から離間する方向に折り曲げることで該タブレット型ＰＣ１２を起立姿勢に保持可能に構成され、スタンド板３０には、支持板２８との間の折り曲げ線となる横方向の第１折り線Ｂ１と、第１折り線Ｂ１の一端から斜め方向に延在する第２折り線Ｂ２と、第１折り線Ｂ１と第２折り線Ｂ２との交点Ｐから第１折り線Ｂ１とは反対方向に延在し、一端が開放端とされた第１切れ目Ｃ１とが設けられている。また、本実施形態に係るスタンド付き電子機器は、電子機器を起立姿勢に保持可能な電子機器用スタンド１０（４０）を筐体の背面に備えている。
【００４４】
このように、電子機器用スタンド１０及びスタンド付き電子機器では、支持板２８に対して折り曲げ可能に設けられたスタンド板３０に第１折り線Ｂ１と第２折り線Ｂ２と第１切れ目Ｃ１とを設けている。これにより、第１折り線Ｂ１によってスタンド板３０を支持板２８に対して折り曲げることにより、図１、図７及び図８に示すように、支持板２８（タブレット型ＰＣ１２）を横置きの起立姿勢に立てて維持することができる。さらに、第２折り線Ｂ２を折り曲げて第１切れ目Ｃ１を分離させ、第１折り線Ｂ１と第２折り線Ｂ２との交点Ｐを中心として支持板２８を９０度回転させることにより、図３、図９及び図１０に示すように、支持板２８（タブレット型ＰＣ１２）を縦置きの起立姿勢に立てて維持することができる。すなわち、電子機器用スタンド１０では、背面カバー部１４に第１折り線Ｂ１等を設けるだけの簡素な構成でありながらタブレット型ＰＣ１２を縦横所望の起立姿勢で保持することができ、従来技術のような回転軸機構も不要なため小型化・薄型化も図られる。
【００４５】
また、電子機器用スタンド１０では、スタンド板３０に対して折り曲げ可能に設けられた連接部１６と、連接部１６に対して折り曲げ可能に設けられ、タブレット型ＰＣ１２の前面を覆う前面カバー部１８とを備える。そして、背面カバー部１４と前面カバー部１８とを連接部１６を介して二つ折りに折り畳むことにより、その内側にタブレット型ＰＣ１２を収納可能である一方、スタンド板３０をタブレット型ＰＣ１２の背面から離間する方向に折り曲げると共に、前面カバー部１８を連接部１６を介してタブレット型ＰＣ１２の前面から離間させ、タブレット型ＰＣ１２の下縁部を前面カバー部１８の上面に係止させることにより、タブレット型ＰＣ１２を起立姿勢に保持可能となっている。これにより、電子機器用スタンド１０をタブレット型ＰＣ１２の持ち運び用のカバーケース（カバースタンド）として機能させることができる。
【００４６】
電子機器用スタンド１０では、第１折り線Ｂ１と第２折り線Ｂ２との交点Ｐを、背面カバー部１４の一辺（短辺）及び該一辺と直交する他辺（長辺）までの距離が同一の距離Ｌ１であって、且つ、背面カバー部１４の横方向の中心線Ｏ２及び縦方向の中心線Ｏ１までの距離が同一の距離Ｌ２となる位置に設定している。これにより、横置き時及び縦置き時のいずれの場合であっても、支持板２８、つまりタブレット型ＰＣ１２を電子機器用スタンド１０の左右方向の中心に配置することができる。
【００４７】
ところで、上記では、電子機器用スタンド１０として、背面カバー部１４と共に連接部１６及び前面カバー部１８を設けることにより、図４に示すような収納姿勢とし、タブレット型ＰＣ１２をカバーするカバースタンドを例示した。これに対し、電子機器用スタンド１０を、図１４及び図１５に示すようにカバー機能を持たない電子機器用スタンド４０として構成することもできる。
【００４８】
電子機器用スタンド４０は、連接部１６及び前面カバー部１８を持たない以外の構成は、上記した電子機器用スタンド１０と同様である。電子機器用スタンド４０では、図１４及び図１５に示すように、横置き及び縦置きの起立姿勢時に支持板２８及びタブレット型ＰＣ１２の下縁部が机の上等に直接的に載置されるため、この下縁部にゴム等の滑り止め部材を設けておいてもよい。このような電子機器用スタンド４０では、背面カバー部１４をタブレット型ＰＣ１２の背面に装着するだけでスタンドとしての機能を持たせることができ、スタンドとして使用しない際には、背面カバー部１４をタブレット型ＰＣ１２の背面板として目立つことなく収納できるという利点がある。
【００４９】
なお、本発明は、上記した実施形態に限定されるものではなく、本発明の主旨を逸脱しない範囲で自由に変更できることは勿論である。
【００５０】
例えば、上記実施形態では、背面カバー部１４はタブレット型ＰＣ１２の背面の全体を覆う構成を例示したが、背面カバー部１４はタブレット型ＰＣ１２の背面の少なくとも一部を覆うものであればよく、前面カバー部１８についても同様である。
【００５１】
上記実施形態では、電子機器用スタンド１０，４０を電子機器に対して着脱可能とした構成を例示したが、電子機器用スタンド１０，４０は電子機器に一体的に固着されたもの等であってもよい。特に図１４及び図１５に示す電子機器用スタンド４０の場合には、支持体２８を電子機器の筐体の背面の一部又は背面に一体的に貼着したものとすることで、スタンド板３０を収納した際に、スタンドを持たない電子機器と略同様なスマートな外観のスタンド付き電子機器を構成することができる。
【符号の説明】
【００５２】
１０，４０  電子機器用スタンド
１２  タブレット型ＰＣ
１２ａ  ディスプレイ
１４  背面カバー部
１６  連接部
１８  前面カバー部
２０，２２，３４，３６  磁石
２４  キーボード装置
２６  溝
２８  支持板
３０  スタンド板
Ａ１，Ａ２  折り畳み線
Ｂ１  第１折り線
Ｂ２  第２折り線
Ｃ１  第１切れ目
Ｃ２  第２切れ目
Ｃ３  第３切れ目
Ｃ４  第４切れ目
Ｃ５  第５切れ目
【図１】
0005947778.tif 000002
【図２】
0005947778.tif 000003
【図３】
0005947778.tif 000004
【図４】
0005947778.tif 000005
【図５】
0005947778.tif 000006
【図６】
0005947778.tif 000007
【図７】
0005947778.tif 000008
【図８】
0005947778.tif 000009
【図９】
0005947778.tif 000010
【図１０】
0005947778.tif 000011
【図１１】
0005947778.tif 000012
【図１２】
0005947778.tif 000013
【図１３】
0005947778.tif 000014
【図１４】
0005947778.tif 000015
【図１５】
0005947778.tif 000016